(57)【要約】【課題】不要なコードの入力などによる不要輻射などのノイズの発生を好適に抑制しつつ、好適なタイミングの管理のもとライトストラテジを表現し得るレーザ駆動装置を提供する。【解決手段】  本発明のレーザ駆動装置１０は、指定されたパワー値でレーザ光を照射する照射手段４０を備える光ピックアップ５２の駆動を制御するために、パワー値を指定するためのコードを入力するコード入力手段１１と、コードの入力に応じて、照射手段４０が照射するレーザ光のパワー値を該コードが指定するパワー値へと変更するパワー変更手段１２とを備え、少なくとも一つのパワー値を指定する複数通りのコードが存在するとともに、パワー値を指定する複数通りのコードを切り替える切替手段１３を更に備える。【選択図】図１
2010165441.tif 000002
【特許請求の範囲】
【請求項１】
指定されたパワー値でレーザ光を照射する照射手段を備える光ピックアップの駆動を制御するためのレーザ駆動装置であって、
前記パワー値を指定するためのコードを入力するコード入力手段と、
前記コードの入力に応じて、前記照射手段が照射する前記レーザ光の前記パワー値を該コードが指定する前記パワー値へと変更するパワー変更手段と
を備え、
少なくとも一つの前記パワー値を指定する複数通りの前記コードが存在するとともに、
前記パワー値を指定する複数通りの前記コードを切り替える切替手段を更に備えることを特徴とするレーザ駆動装置。
【請求項２】
前記コード入力手段は、二値的な信号値を採る複数の信号を組み合わせてグレイコードとして入力することで前記コードの入力を行い、
前記コードの入力においては、一つ前の前記コードの入力との間では、前記複数の信号におけるいずれか一つの前記信号値に変化が生じることを特徴とする請求項１に記載のレーザ駆動装置。
【請求項３】
前記コード入力手段は、一連のレーザ光の照射の終了時の前記コードを、次の一連のレーザ光の照射の開始時のパワー値を指定するよう切り替えることを特徴とする請求項２に記載のレーザ駆動装置。
【請求項４】
前記切替手段は、一の前記コードの入力から開始される複数回の前記一連のレーザ光の照射の終了時の前記コードが、該一の前記コードとなるよう前記パワー値を指定する複数通りの前記コードを切り替えることを特徴とする請求項１から３のいずれか一項に記載のレーザ駆動装置。
【請求項５】
前記コードの入力に応じて、該コードに対応する内部値を入力する内部値入力手段と、
前記内部値と前記パワー値とが互いに対応して格納される格納手段と
を更に備え、
前記パワー変更手段は、前記コードの入力に応じて、前記照射手段が照射する前記レーザ光のパワー値を前記内部値に対応する前記パワー値へと変更し、
前記切替手段は、前記コードと前記内部値との対応を切り替えることで、前記パワー値と対応する複数通りの前記コードを切り替えることを特徴とする請求項１から３のいずれか一項に記載のレーザ駆動装置。
【請求項６】
前記内部値入力手段は、一連のレーザ光の照射の開始時の前記内部値を取得する開始点取得手段を更に備え、
前記一連のレーザ光の照射の開始時の前記内部値と前記コードとに基づいて、前記内部値を入力するとともに、前記内部値が所定の状態となることで、前記一連のレーザ光の照射が終了すると判断することを特徴とする請求項５に記載のレーザ駆動装置。
【請求項７】
指定されたパワー値でレーザ光を照射する照射手段を備える光ピックアップの駆動を制御するためのレーザ駆動方法であって、
前記パワー値を指定するためのコードを入力するコード入力工程と、
前記コードの入力に応じて、前記照射手段が照射する前記レーザ光の前記パワー値を該コードが指定する前記パワー値へと変更するパワー変更工程と
を備え、
少なくとも一つの前記パワー値を指定する複数通りの前記コードが存在するとともに、
前記パワー値を指定する複数通りの前記コードを切り替える切替工程を更に備えることを特徴とするレーザ駆動方法。
【請求項８】
請求項１から６のいずれか一項に記載のレーザ駆動装置に接続され、
前記コード入力手段に対して、前記コードを示すコード信号を供給するコード信号供給手段を備えることを特徴とする信号処理回路。
【請求項９】
請求項１から６のいずれか一項に記載のレーザ駆動装置を備えることを特徴とする情報記録装置。
【発明の詳細な説明】
【技術分野】
【０００１】
本発明は、光ディスクなどの情報記録媒体に対しレーザ光を照射することで情報の記録を行う情報記録装置に備えられ、レーザ光の出力を変動させつつ照射を行うよう制御するレーザ駆動装置、該レーザ駆動装置に備えられる信号処理回路及び該レーザ駆動装置が備えられる情報記録装置の技術分野に属する。
【背景技術】
【０００２】
例えば光ディスクなどの情報記録媒体においては、レーザダイオードから光ディスクに向けてレーザ光が照射されることで、該光ディスク上に記録マークないしは記録ピットが形成される。これにより、光ディスクにデータが記録される。レーザダイオードには、該レーザダイオードが動作するために必要な動作電圧が印加されるように、電源から一定の電源電圧が供給されている。そして、レーザダイオードから照射されるレーザ光は、トランジスタ等を含むレーザドライバ回路の動作により、その波形やパワーが制御される。特に、多値レベル化及びパルス分割されたレーザ光の波形やパワーのパターンをライトストラテジと言う。
【０００３】
このようなライトストラテジを実現するためには、高速且つ連続的に変化するパルス化されたレーザ光の波形及びパワーを制御することが必要であり、従来、様々な手法が用いられている。
【０００４】
例えば、レーザダイオードに対し、複数通りのパワーのレーザ光を照射させるための電流を供給する複数の電流源を備え、その電流源にそれぞれ対応する入力信号により電流源からの電流の供給を直接切り替えることでレーザダイオードへの供給電流を変化させ、レーザダイオードのレーザ光のパワーを変化させる、所謂コンベンショナル型と呼ばれる手法がある。
【０００５】
また、特許文献１には、複数の入力信号を組み合わせてコードを入力し、該コードに対応するレーザダイオードのレーザパワーを変更する構成が開示されている。
【先行技術文献】
【特許文献】
【０００６】
【特許文献１】特開平１１−２１９５２４号公報
【発明の概要】
【発明が解決しようとする課題】
【０００７】
複雑なライトストラテジの表現を実現するにあたっては、より多くのパワー値を表現可能であることが好ましい。その一方で、パワー値を表現するための入力信号の増加は、光ピックアップとドライブ本体との間の伝送ラインの増加に繋がり、配線領域の拡大、配線の屈曲部における可撓性の低下、接続コネクタピン数増加などに起因するコストの上昇、及び配線部からの不要輻射増大などの種々の技術的な問題を引き起こす可能性がある。
【０００８】
更に、パワー値の変更のために、複数の伝送ラインにおける夫々の信号値を同時に変更する必要が生じる場合も考えられる。このような場合では、例えばスキューの発生などにより、パワー値変更のタイミングにズレが生じることや、予期しないコードの組み合わせが発生してしまう恐れがあるなどの技術的な問題がある。
【０００９】
ここで、例えば、グレイコードを用いて、複数の伝送ラインにおける夫々の信号値が同タイミングにおいて一つだけしか変化しないよう構成することで、このようなスキューに伴う不具合に対処することも可能である。他方で、このようなグレイコードの遷移規則に則った場合には、パワー値の変更のためのコードの入力順序にも制限が課されることとなる。
【００１０】
特に、入力信号で表現可能なパワー値の数に対し、一連のマーク部への記録に際して、実際に使用されるパワー値の数が少ない場合、一つのマーク部への記録が終了するたびに、所定のイレースパワーを出力するための、コードが入力される必要がある。言い換えれば、一のマーク部への記録が終了するごとに、入力信号が初期化されることになる。
【００１１】
この結果、入力コードを構成する信号線を個別に考えると、状態遷移を表すために必要な回数以上に、信号値の変化が生じる事になる。つまり、入力信号の初期化のために不要なコードの入力などが必要となり、不要輻射増大などの不具合が予測される。
【００１２】
本発明は、例えば上述した従来の問題点に鑑みなされたものであり、不要なコードの入力などによる不要輻射などのノイズの発生を好適に抑制しつつ、好適なタイミングの管理のもとライトストラテジを表現し得るレーザ駆動装置、レーザ駆動方法、信号処理回路及び情報記録装置を提供することを課題とする。
【課題を解決するための手段】
【００１３】
上記課題を解決するために、本発明のレーザ駆動装置は、指定されたパワー値でレーザ光を照射する照射手段を備える光ピックアップの駆動を制御するためのレーザ駆動装置であって、前記パワー値を指定するためのコードを入力するコード入力手段と、前記コードの入力に応じて、前記照射手段が照射する前記レーザ光の前記パワー値を該コードが指定する前記パワー値へと変更するパワー変更手段とを備え、少なくとも一つの前記パワー値を指定する複数通りの前記コードが存在するとともに、前記パワー値を指定する複数通りの前記コードを切り替える切替手段を更に備える。
【００１４】
上記課題を解決するために、本発明のレーザ駆動方法は、指定されたパワー値でレーザ光を照射する照射手段を備える光ピックアップの駆動を制御するためのレーザ駆動方法であって、前記パワー値を指定するためのコードを入力するコード入力工程と、前記コードの入力に応じて、前記照射手段が照射する前記レーザ光の前記パワー値を該コードが指定する前記パワー値へと変更するパワー変更工程とを備え、少なくとも一つの前記パワー値を指定する複数通りの前記コードが存在するとともに、前記パワー値を指定する複数通りの前記コードを切り替える切替工程を更に備える。
【００１５】
上記課題を解決するために、本発明の信号処理回路は、上述のレーザ駆動装置に接続され、前記コード入力手段に対して、前記コードを示すコード信号を供給するコード信号供給手段を備える。
【００１６】
上記課題を解決するために、本発明の情報記録装置は、上述のレーザ駆動装置を備える。
【００１７】
本発明の作用及び他の利得は次に説明する実施の形態から明らかにされよう。
【図面の簡単な説明】
【００１８】
【図１】本実施例に係るＬＤドライバの基本的な構成例を概念的に示すブロック図である。
【図２】ライトストラテジの一例を示す図である。
【図３】本発明の実施例に係る入力コードを概念的に示す図である。
【図４】本発明の実施例に係る内部コードと外部コードとの関係を概念的に示す図である。
【図５】本発明の実施例に係るＬＤドライバによるライトストラテジの表現の一例を示す図である。
【図６】本実施例に係る情報記録装置の基本的な構成例を概念的に示すブロック図である。
【発明を実施するための形態】
【００１９】
本発明のレーザ駆動装置に係る実施形態は、指定されたパワー値でレーザ光を照射する照射手段を備える光ピックアップの駆動を制御するためのレーザ駆動装置であって、前記パワー値を指定するためのコードを入力するコード入力手段と、前記コードの入力に応じて、前記照射手段が照射する前記レーザ光の前記パワー値を該コードが指定する前記パワー値へと変更するパワー変更手段とを備え、少なくとも一つの前記パワー値を指定する複数通りの前記コードが存在するとともに、前記パワー値を指定する複数通りの前記コードを切り替える切替手段を更に備える。
【００２０】
本発明のレーザ駆動装置に係る実施形態によれば、コード入力手段によって入力されるコードに応じて、パワー変更手段は、照射手段が照射するレーザ光のパワー値を該コードによって指定されるパワー値へと変更する。
【００２１】
より具体的には、照射手段におけるレーザ光照射用の供給電流レベルが、照射するレーザ光のパワー値に対応するように複数通り用意されている。そして、該複数通りの電流レベルのうちからコード入力手段によって入力されるコードによって指定される電流レベルが選択され、照射手段へと供給される電流レベルが切り替わる。
【００２２】
また、特に本発明のレーザ駆動装置に係る実施形態によれば、一のパワー値を指定するためのコードの入力が複数通り存在する。そして、切替手段によって、このようなパワー値を指定するためのコードが適宜切り替えられるよう構成されている。他方で、一のパワー値を指定するよう設定されている一のコードが、切替手段の動作によって他のパワー値を指定するよう構成されていても良いものである。尚、本実施形態においては、コード入力によって指定され得る全てのパワー値が、夫々複数のコードによって指定され得るよう構成されていても良く、他方で、全パワー値のうちの一部のみが複数のコードと対応するよう構成されていても良い。
【００２３】
本実施形態においては、各パワー値は、予め対応する各コードとともに、レーザ駆動装置内に備えられるレジスタセットなどに格納されていることが好ましい。このような構成によれば、切替手段は、コード入力に応じて用いるレジスタを適宜変更することで、パワー値と、該パワー値を指定するコードとの組み合わせを比較的容易に切り替えることが可能となる。
【００２４】
このようにコードを用いて供給電流レベルを指定する構成によれば、複数通りの電流レベルを入力信号で直接選択する場合に比較して、伝送ラインを減らすことが出来る。典型的に、コード入力は、複数の２値ロジック信号（以下、コード信号と記載）の信号値の状態の組み合わせによって行われる。このとき、入力信号によって直接電流レベルを指定する場合、例えば、上述のような二値的な信号値を採り得るコード信号を用いれば、８通りの電流レベルの夫々を３本の伝送ラインで指定することが出来る。
【００２５】
コードの入力によって、出力されるレーザ光のパワーを変更する構成においては、上述のように、伝送ラインの数を極力抑えた上で、より多くのパワー値を表現可能とするために、典型的には、一のコード入力に対して一のパワー値が対応するよう、両者の関係は固定されている。
【００２６】
また、ストラテジパターンにおけるデータ記録部（つまり、マーク部）の間の部分（所謂、スペース部）においては、多くの場合、同一のイレースパワーまたは再生パワーでの照射が行われる。このため、ストラテジパターンの表現のための一連のコード入力の遷移における開始時及び終了時のコードは、典型的には、このようなパワー値を指定するためのコードとなる。言い換えれば、入力されるコードは、一のストラテジパターンを構成する各パワー値に対応するコードを入力し終えた後には、上述のイレースパワーや再生パワーに対応するコードが再入力される（言い換えれば、初期化される）。
【００２７】
ところで、上述の特許文献に記載される構成のように、入力コードと、出力されるパワー値との間の対応関係が一対一で固定されている場合、入力コードを構成する信号線を個別に考えると、状態遷移を表すために必要な数以上に、信号レベルの変化が必要となることがある。
【００２８】
具体的には、実際にコードを生成して入力する後述の信号処理回路においては、一般的に、上述のように一のマーク部に対する記録シーケンスの終了時には、コードの初期化が実施される。このとき、記録シーケンスを構成するパワー値における初期化前のパワー値に対応するコードの状態によっては、同タイミングで複数の信号を切り替える処理が必要となる場合がある。このような複数の信号の同一タイミングにおける切り替え処理が発生することで、例えば、スキューの発生や、予期しないコードの検出などの不具合が生じる虞がある。このような不具合は、後述のように遷移に制限を課したグレイコードを適用して、厳密なタイミング管理を行っているレーザ駆動装置においては特に顕著であり、照射手段を用いたデータの記録動作に影響を及ぼす可能性もある。
【００２９】
他方、本発明に係るレーザ駆動装置の実施形態では、パワー値と入力コードとが互いに一対一の対応関係に固定されておらず、切替手段の動作によって適宜切り替えることが出来る。このような構成によれば、例えば、イレースパワーを出力するための（言い換えれば、初期化のための）入力コードを、一つ前の入力コードと比較して一の信号にしか状態の変化が生じないものに切り替えることで、好適にこのような不具合を抑制することが可能となる。
【００３０】
このような効果は、４値程度のパワー値から構成される記録シーケンスが用いられる比較的高倍速のＢＤ−Ｒ(Blu-ray Disc Recordable)などの光ディスクに対する記録動作において特に顕著であり、一の記録シーケンス後に必ずしも初期化のためのコードが入力されなくとも、ストラテジパターンの表現を継続することが可能となる。
【００３１】
このように、同じパワー値を表現する場合であっても、相異なる複数のコードを用いて実施することが出来るよう構成することで、コード入力のための伝送ラインに発生する信号レベルの変化を減少させることが可能となる。このため、不要輻射など、周辺に影響を及ぼすノイズの発生を好適に抑制することが可能となる。
【００３２】
本発明のレーザ駆動装置に係る実施形態の一の態様は、前記コード入力手段は、二値的な信号値を採る複数の信号を組み合わせてグレイコードとして入力することで前記コードの入力を行い、前記コードの入力においては、一つ前の前記コードの入力との間で、前記複数の信号におけるいずれか一つの前記信号値に変化が生じる。
【００３３】
この態様によれば、入力されるコード間の遷移に制限が設けられる。例えば、二値的な値を採る複数の伝送ラインによって入力されるコード信号の状態に応じて、状態値が指定される態様においては、一のタイミングで一つの信号の信号値が変更し得るよう構成されている。言い換えれば、二値的な値を採る複数の伝送ラインによって入力されるコード信号の状態に応じて、状態値が指定される態様においては、一のタイミングで二つ以上の信号の信号値が変更しないよう構成されている。
【００３４】
このように構成することで、一のパワー値の遷移のタイミングは、一の信号の変化によってのみ指定されるため、厳密にレーザのパワー変更タイミングを制御することが可能となる。
【００３５】
他方、入力コード間の遷移が制限されることから、対応するパワー値間の遷移もまた制限され、表現可能なストラテジパターンの数もまた減少してしまうという技術的な問題がある。しかしながら、本発明のレーザ駆動装置に係る他の実施形態を併せて用いることで、多様なストラテジパターンの表現を可能としつつも、厳密なタイミング管理の可能なレーザ駆動装置を提供することが可能となる。
【００３６】
また、上述のように入力コード間の遷移に制限が設けられている本態様においては、前記コード入力手段は、前記複数の信号を組み合わせてグレイコードとして入力することで前記コードの入力を行うよう構成されていることが好ましい。
【００３７】
このように構成すれば、一のタイミングで一つの信号の信号値が変更し得る構成において、コード信号の各状態に対して好適にパワー値を対応させ、且つ入力コード間の遷移を好適に行うことが可能となる。
【００３８】
更に、上述のように入力コード間の遷移に制限が設けられている態様においては、前記コード入力手段は、一連のレーザ光の照射の終了時の前記コードを、次の一連のレーザ光の照射の開始時のパワー値を指定するよう切り替える。
【００３９】
一般的に、上述したグレイコードの遷移規則に則る場合、一度に一つの信号値しか変化出来ないことから、初期状態を示すコードの入力のためには、ストラテジパターンの構成に依らず、偶数回の遷移が必要となる。
【００４０】
しかしながら、ストラテジパターンを構成するパワー値間の遷移は、必ずしも偶数回の遷移で表現されるとは限らない。このようなストラテジパターンをグレイコードの遷移規則に則って表現しようとすると、コード間の遷移のうち、少なくとも一ヶ所で遷移規則に則らない遷移を行うか、または、パワー値の変更を伴わない遷移を行う必要が生じる。
【００４１】
このような遷移を行うよう構成する場合、前者ではグレイコードを利用することによる、スキューの発生の抑制やタイミングの厳密な管理などの利点を十分に享受出来ない虞があり、他方、後者によれば、不要なコードの入力が発生することに起因して、コード信号の高密度化に繋がり、信号パルスの品質の劣化や不要輻射の増加などの悪影響を引き起こすこととなる。
【００４２】
そこで、この態様によれば、一のレーザ光のパワー値に対応する入力コードが、一連のレーザ光の照射の開始時に適宜切り替えられる。具体的には、一連のレーザ光の照射の終了時のコードであって、所謂イレースパワーに対応するコードが次回の一連のレーザ光の照射の開始時のコードとして設定される。ここに、一連のレーザ光の照射とは、レーザ光の一のマーク部に対するレーザパワーの変調を伴うレーザ光の照射（所謂、シーケンス）を示す趣旨である。典型的には、一連のレーザ光の照射前後である、マーク部以外の所謂スペース部へのレーザ光の照射においては、単一のイレースパワーが用いられることとなる。
【００４３】
従って、ストラテジパターンを構成するパワー値の数が奇数であっても偶数であっても、
入力コードの初期化のためのコード遷移の規則違反や、無駄なコード遷移が発せず、結果的に同じ信号線でより高速な伝送と、発生するノイズの抑制を行うことが可能となる。
【００４４】
本発明のレーザ駆動装置に係る実施形態の他の態様は、前記切替手段は、一の前記コードの入力から開始される複数回の前記一連のレーザ光の照射の終了時の前記コードが、該一の前記コードとなるよう前記パワー値を指定する複数通りの前記コードを切り替える。
【００４５】
この態様によれば、一連の記録シーケンスの終了時のコードの状態が該記録シーケンスの開始時の状態と異なっていても、上述のように、終了時のコードより次の記録シーケンスのためのコード入力が行われる。そして、複数回の記録シーケンスの終了時のコードの状態が該開始時の状態となるように、入力コードと対応するパワー値との組み合わせが構成される。
【００４６】
言い換えれば、あるコードから記録シーケンスが開始された後、複数回の記録シーケンスを経て、該コードにおいて記録シーケンスが終了することとなる。
【００４７】
このような構成によれば、例えば、３ビット８値のコードが入力され得るレーザ駆動装置において、夫々３つのパワー値より構成される２組の記録シーケンスのためのストラテジパターンを表現する場合、或るコードＡから１組目の記録シーケンスが開始され、次に１組目の記録シーケンスの終了時のコードＢから２組目の記録シーケンスが開始される。そして、２組目の記録シーケンスの終了時のコードがコードＡとなる。
【００４８】
従って、レーザ駆動装置における特別な動作や構成を必要とすることなく、入力コード及びパワー値の対応関係を設定することによって、上述したグレイコードの遷移規則を満たしつつ好適なコード入力を実施することが出来る。
【００４９】
尚、入力コードとパワー値との対応関係を設定することとは、典型的には、一連の記録シーケンスにおける入力コードの組み合わせを１種類に限定せず、例えば、互いの始点と終点が同じパワー値に対応された２組のコード遷移を交互に発生させることなどによって実施され得る。
【００５０】
本発明のレーザ駆動装置に係る実施形態の他の態様は、前記コードの入力に応じて、該コードに対応する内部値を入力する内部値入力手段と、前記内部値と前記パワー値とが互いに対応して格納される格納手段とを更に備え、前記パワー変更手段は、前記コードの入力に応じて、前記照射手段が照射する前記レーザ光のパワー値を前記内部値に対応する前記パワー値へと変更し、前記切替手段は、前記コードと前記内部値との対応を切り替えることで、前記パワー値と対応する複数通りの前記コードを切り替える。
【００５１】
この態様によれば、外部より入力されるコードと、レーザ光のパワー値との間に、中間的な設定値である内部値が導入される。このような内部値は、典型的には、当該レーザ駆動装置の内部における信号生成回路である内部値入力手段によって生成されるコードの状態値であって、コード入力手段より入力される、典型的にはレーザ駆動装置外部からの入力コードに対応して適宜入力されるものである。そして、パワー変更手段は、該内部値と対応するパワー値を用いることで、レーザ光のパワー値を変更する。
【００５２】
また、このような内部値は、夫々レーザ光のパワー値と対応して、典型的にはレジスタセットである格納手段に格納されている。このため、このような内部値を用いたとしても、入力されるコードに対応して入力される内部値について、格納手段に格納される数値を参照することで比較的容易に対応するレーザ光のパワー値を決定することが出来る。
【００５３】
特に、本態様によれば、切替手段の動作によって、外部から入力されるコードと内部値との対応関係が切り替えられる。このような態様によれば、例えば、同一のコードの入力であっても、相異なる内部値が入力され得るものであり、結果的に、複数通りのパワー値が出力され得る。逆に、相異なるコードの入力であっても、同一の内部値が入力され得ることもあり、結果的に同一のパワー値が出力されても良い。つまり、入力コードと、該入力コードに応じて内部値入力手段によって入力される内部値との間で、常に一対一での対応が成り立つわけではない。
【００５４】
このような切替手段の動作は、典型的には、入力コードに応じて適宜実施されるよう構成されていることが好ましく、例えば、一つの記録マーク部に対する記録シーケンスの開始時の入力コードに応じて、該記録シーケンスにおける入力コードと、対応する内部値との関係が決定されるよう構成されていても良い。
【００５５】
このため、比較的容易に一のパワー値を指定するためのコードを複数通り設定することが可能となる。
【００５６】
尚、このような内部値は、本発明においてはレーザ駆動装置の内部での信号伝送のみで完結することから、信号間スキューを製造時に調整することが可能となる。このため、上述したような入力コードに設けられるグレイコードの遷移規則などの制限が設けられていなくとも、適切な信号伝送が可能となる。勿論、このような内部値の信号伝送においても、上述したようなグレイコードの遷移規則に則るよう構成されても良い。
【００５７】
上述のように内部値入力手段及び格納手段を備える態様においては、前記内部値入力手段は、一連のレーザ光の照射の開始時の前記内部値を取得する開始点取得手段を更に備え、
前記一連のレーザ光の照射の開始時の前記内部値と前記コードとに基づいて、前記内部値を入力するとともに、前記内部値が所定の状態となることで、前記一連のレーザ光の照射が終了すると判断する。
【００５８】
この態様によれば、一の記録シーケンスの開始時の内部値（典型的には、前回の記録シーケンスの終了時の内部値）が取得される。そして、該開始点の内部値と入力されるコードとに基づいて、内部値入力手段は、内部値の入力信号を生成する。
【００５９】
つまり、言い換えれば、記録シーケンスの開始時の内部値と、入力されるコードとが併せてデコードされることで、実際にパワー値と関連付けられる内部値を指定する内部信号が生成される。
【００６０】
特に、この態様においては、開始点取得手段は、一の記録シーケンスの終了時の内部値の状態を保持しておき、次の記録シーケンスの開始時に該終了時の内部値を開始時の内部値として取得するよう構成されていることが好ましい。
【００６１】
尚、このようなレーザ駆動装置に係る実施形態の態様においては、典型的には外部に備えられる、コード信号を入力するための信号処理回路においても、上述した内部値と同様の内部信号を生成するとともに、上述のレジスタと同様の構成を備え、該内部信号に対応するパワー値が取得されるよう構成されていることが好ましい。
【００６２】
このような構成によれば、入力コードとパワー値との間に一対一の対応関係が固定されていない態様であっても、コード入力を行う信号処理回路において、現在のコードの入力に応じて出力されるパワー値を把握することが可能となる。
【００６３】
また、この態様によれば、上述の内部値の値に基づいて、記録シーケンスが終了したか否かが判定される。より具体的には、コードの入力に応じて入力される内部値が適宜参照され、所定の状態であると判定された場合に、記録シーケンスが終了したものと判断される。
【００６４】
このような構成によれば、例えば、光ディスクのマーク部の長さなどに起因して、パワー値の遷移の数が異なる複数の記録シーケンスを、特別な構成や信号処理を行うことなく比較的容易に表現することが可能となる。
【００６５】
このとき、所定の状態とは、典型的には、記録シーケンスの終了時の所謂イレースパワーであるパワー値に対応する内部値である。このような所定の状態とは、例えば、記録シーケンスの開始時の内部値の状態及び入力コードのデコード結果や、その他なんらかの手段によって決定されることが好ましく、外部からの入力信号などによって適宜設定されても良い。
【００６６】
本発明のレーザ駆動方法に係る実施形態は、指定されたパワー値でレーザ光を照射する照射手段を備える光ピックアップの駆動を制御するためのレーザ駆動方法であって、前記パワー値を指定するためのコードを入力するコード入力工程と、前記コードの入力に応じて、前記照射手段が照射する前記レーザ光の前記パワー値を該コードが指定する前記パワー値へと変更するパワー変更工程とを備え、少なくとも一つの前記パワー値を指定する複数通りの前記コードが存在するとともに、前記パワー値を指定する複数通りの前記コードを切り替える切替工程を更に備える。
【００６７】
本発明のレーザ駆動方法に係る実施形態によれば、上述した本発明の記録装置に係る実施形態が有する各種利益と同様の利益を享受することができる。
【００６８】
尚、上述した本発明の記録装置に係る実施形態における各種態様に対応して、本発明のレーザ駆動方法に係る実施形態も各種態様を採ることが可能である。
【００６９】
本発明の信号処理回路に係る実施形態は、上述したレーザ駆動装置に係る実施形態の各種態様に接続され、前記コード入力手段に対して、前記コードを示すコード信号を供給するコード信号供給手段を備える。
【００７０】
本発明の信号処理回路に係る実施形態は、上述したレーザ駆動装置に係る実施形態の各種態様に接続され、前記コード入力手段に対して、前記コードを示すコード信号を供給するコード信号供給手段を備える。
【００７１】
本発明の情報記録装置に係る実施形態は、上述した本発明のレーザ駆動装置に係る実施形態の各種態様を備える。
【００７２】
本発明の情報記録装置に係る実施形態によれば、上述したレーザ駆動装置の各効果を享受しながら、例えば光ディスクなどの情報記録媒体に対し、好適に情報の記録を行うことが出来る。
【００７３】
以上説明したように、本実施形態に係るレーザ駆動装置によれば、コード入力手段と、パワー変更手段と、切替手段とを備える。本実施形態に係るレーザ駆動方法によれば、コード入力工程と、パワー変更工程と、切替工程とを備える。本実施形態に係る信号処理回路によれば、コード信号供給手段を備える。本実施形態に係る情報記録装置は、本実施形態に係るレーザ駆動装置を備える。
【００７４】
従って、コードの入力ための無駄な信号の伝送を好適に抑制することが出来、信号線に発生するレベル変化の数を減少させることが出来る。また、これによって周辺に与えるノイズを低減することができる。
【実施例】
【００７５】
以下、本発明を実施するための最良の形態について図面を参照して説明する。
【００７６】
（１）基本構成例
始めに、図１を参照して、本発明の実施例に係るＬＤドライバ（Laser Diode Driver）１０の基本的な構成について説明しながら、該ＬＤドライバ１０の基本的な動作について説明する。ここに、図１は、本実施例におけるレーザ駆動装置の一例であるＬＤドライバ１０の構成を概念的に表すブロック図である。尚、ＬＤドライバ１０は、典型的には、光ピックアップ５２（図６参照）の内部に設けられ、同じく光ピックアップ５２内に設けられるレーザダイオードＬＤ（Laser Diode）４０に接続される。このため、ＬＤドライバ１０は、後に詳述するように、ライトストラテジにおけるレーザパワーに応じて、ＬＤ４０のレーザ光照射のためのレーザパワーを制御することが出来る。また、ＬＤドライバ１０は、典型的には、光ピックアップ５２が設けられる本体基板上に備えられる記録信号発生部２１と接続されている。このため、外部からの例えばクロック管理などの制御を受けつつコード信号（つまり、外部コード信号）の入力を受けることが出来る。
【００７７】
図１に示されるように、ＬＤドライバ１０は、入力される外部コードのデコード処理を行い、内部コードを生成するデコーダ１１と、該内部コードとレーザパワーを決定するためのパワー値とが互いに関連付けられて格納され、入力された内部コードによって指定されるパワー値を出力するパワー値変換部１２と、入力される外部コードのうち、シーケンス開始時の外部コードを取得し、前回のシーケンス終了時の内部コードとともにデコーダ１１へと出力する開始外部コード保持部１３と、一のマーク部に対するシーケンスの終了時の内部コードを識別する終了内部コード識別部１４と、該シーケンスの終了時の内部コードを開始外部コード保持部１３へと出力する保持パルス生成部１５と、パワー値変換部１２において選択されたパワー値をレーザダイオード４０に出力するためのＤＡコンバータ（Digital Analog Convertor）１６と、出力バッファ１７とを備えて構成される。
【００７８】
このようなＬＤドライバ１０の動作によれば、基本的には、外部コード信号の入力を受け、レーザダイオード４０における照射レーザ光のパワー値が決定される。より具体的には、記録信号発生部２１より入力される外部コードに対応して、デコーダ１１が内部コードを生成する。そして、パワー値変更部１２の動作によって、該内部コードに対応するレーザ光のパワー値が選択されて、レーザダイオード４０へと出力される。更に、本実施例におけるＬＤドライバ１０の動作によれば、一のマーク部へのシーケンスの終了時の内部コードが、シーケンス終了後も保持されて、次のシーケンスの開始時に入力される外部コードと対応されるよう構成されている。
【００７９】
以下に、本実施例に係るＬＤドライバ１０の各部の動作や機能について詳しく説明する。
【００８０】
デコーダ１１は、本実施例における「コード入力手段」の一具体例であって、外部コード信号の生成を行う記録信号発生部２１に接続され、コード信号の入力を受ける。
【００８１】
本実施例においては、図１に示されるように、３本の伝送ラインにより伝送される３つの信号値を組み合わせることで、８値の外部コードを表現する態様について説明する。
【００８２】
尚、コード信号の伝送は、好適には、一のコード信号に対し二本の信号線を用い、公知の差動伝送方式などを用いて行われるよう構成されている。他方で、一のコード信号に対し一本の信号線を用いたシングルエンド方式で行われるよう構成されていても良い。
【００８３】
デコーダ１１は、入力されるコード信号をデコードし、開始外部コード保持部１３から入力される外部コードと内部コードとの組み合わせに基づき、内部コードを生成してパワー値変換部１２へと出力する。
【００８４】
より具体的には、一のマーク部へのシーケンスの開始時に、開始外部コード保持部１３より、シーケンス開始時の外部コードと、前回のシーケンスの終了時の内部コードとの入力を受ける。そして、該内部コードを最初の内部コードとしてパワー値変換部１２へと出力した後に、適宜、入力される外部コードに応じて、内部コードを生成してパワー値変換部１２へと出力する。このような構成によれば、外部コードと内部コードの対応がシーケンスの開始時に切り替えられる。このとき、入力される内部コードは、所謂グレイコードであって、同一のタイミングで複数の信号値に変化が生じないよう、その遷移の態様に制限が課されているものであることが好ましい。このように構成すれば、各信号間のスキューの発生を好適に抑制することが出来る。しかしながら、スキューの発生については、当該ＬＤドライバ１０の製造時などに内部コード伝送用の信号線を予め調整しておくことで抑制することが可能となるため、グレイコードとは異なる信号方式を用いることや、遷移に制限を課さない方式であっても良い。
【００８５】
パワー値変換部１２は、デコーダ１１によって処理された外部コード信号に対応して生成される可能性のある内部コードと、該内部コードに対応するパワー値とを互いに関連付けて格納する、所謂レジスタの一群である。ここで、各内部コードは、典型的には、夫々単一のパワー値に関連付けられて格納されている。
【００８６】
開始外部コード保持部１３は、記録信号発生部２１からの外部コードの入力を受ける。このとき、一連のシーケンスの開始時に入力された外部コードに対し、後述する保持パルス生成部１５より入力される終了内部コードを組み合わせるよう、デコーダ１１へと信号を出力する。尚、一連のシーケンスの開始時とは、光ディスク１００における一の記録マーク部に対するシーケンスの開始時を示す趣旨である。本実施例においては特に、後述する終了内部コード識別部１４において、シーケンスの終了であると識別された次に入力される外部コードを、シーケンスの開始時に入力された外部コードとして判断する。
【００８７】
終了内部コード識別部１４は、デコーダ１１から入力される内部コードに基づいて、光ディスク１００における一の記録マーク部に対するシーケンスの終了を識別する。具体的には、予め設定されるシーケンスの終了を示す所定の状態と同一の内部コードが入力されたことを受けて、シーケンスの終了を識別する。このとき、シーケンスの終了を示す所定の状態は、例えば、開始外部コード保持部１３に保持される開始外部コードに基づいて設定されても良く、その他なんらかの情報に基づいて適宜行われても良いものである。
【００８８】
また、終了内部コード識別部１４は、シーケンスが終了したと識別された場合に入力された内部コードを終了内部コードとして保持し、保持パルス生成部１５へと出力する。
【００８９】
保持パルス生成部１５は、終了内部コード識別部１４より入力される終了内部コードを保持し、シーケンスの開始時に、開始外部コード保持部１３へと出力する。
【００９０】
ＤＡコンバータ１６は、パワー値変換部１２からパワー値を指示する信号の入力を受け、該信号をアナログ変換した後に出力バッファ１９を介してレーザダイオード４０へと出力する構成である。
【００９１】
記録信号発生部２１は、本発明に係る「コード信号供給手段」の一具体例であり、典型的には、上述のようにデコーダ１１及び開始外部コード保持部１３へと接続されて外部コード信号の生成及び入力を行う。また、本実施例においては、記録信号発生部２１は、その内部にデコーダ１１及び終了内部コード識別部１４の動作と同様、内部コードの生成及びシーケンスの終了の識別を実施可能な構成を備えている。具体的な例として、外部コード信号の入力に応じて、デコーダ１１において生成されるものと同様の内部コードを疑似的に生成し、該内部コードが所定の状態となることでシーケンスの終了を識別するための回路構成を備えている。このような構成によれば、ＬＤドライバ１０との伝送ラインや信号の入出力を増大させることなく、記録信号発生部２１においても現在の内部コード及びパワー値や、シーケンスの状態を把握することが可能となる。
【００９２】
以上、説明したように、本実施例のＬＤドライバ１０によれば、外部コードの入力を受け、対応する内部コードを生成した上で、レーザダイオード４０へと出力するパワー値を決定する。特に、このようなＬＤドライバ１０の動作によれば、典型的には、シーケンスの開始時に外部コードと内部コードとの対応関係が切り替えられるため、同一のパワー値を指定するための外部コードを適宜切り替えて用いることが出来る。
【００９３】
（２）基本効果
続いて、図２から図５を参照して、本実施例に係るＬＤドライバ１０の動作に基づく具体的な効果について説明する。
【００９４】
一般的に、データの記録を行う際のライトストラテジは、一つのシーケンスにおけるパワー値の変化の様子によって幾つかのタイプに分類することが出来る。このようなライトストラテジの例として、例えば、Ｌ型、マルチパルス型、キャッスル型のライトストラテジが知られている。ここに、図２は、このようなライトストラテジの例を示す図である。
【００９５】
各ライトストラテジは、上段に示したＮＲＺＩ（Non Return to Zero Inversion）信号によって示されるマーク部（すなわち、ＮＲＺＩ信号値が高い部分）において、各マーク長に応じて記録用のパワー値を組み合わせて構成されている。
【００９６】
本実施例においては、３ビットのコード信号であるコードによって、ライトストラテジを構成する８値のパワー値が指定されて、レーザダイオード４０に出力される態様について特に説明する。
【００９７】
続いて、図３及び図４を用いて、本実施例に係るコード入力によるパワー値の指定の態様について説明する。図３は、本実施例に係る８値のコードと、夫々のコードに対応するパワー値との関係、及び各コード間の遷移の態様について概念的に示す図である。
【００９８】
図３に示されるように、本実施例に係るコード入力は、３ビットのコード信号の組み合わせをグレイコードとして用いるよう構成されている。
【００９９】
例えば、グレイコードの状態がＳ０（つまり、３つのコード信号値が０、０、０となる状態）に対しては、パワー値Ｐ０が対応付けられている。基本的に、このようなコードとパワー値との組み合わせは、パワー値変換部１２に備えられるレジスタに格納されている。
【０１００】
また、本実施例に係る各コード間には、グレイコードにおいて隣接する状態値間でのみ遷移が可能となるよう、その遷移に制限が課されている。つまり、具体的には、複数の伝送ラインにより伝送されるコード信号において、一のタイミングにおいては一の信号値のみが遷移する。よって、図３に示される図においては、各コードは夫々隣り合う３つのコード（例えば、０からは、Ｓ１、Ｓ３及びＳ７）にのみ遷移することが可能である。このような構成によれば、信号間スキューが発生しないため、比較的厳密なタイミング管理が必要となる場合において特に有効である。
【０１０１】
また、本実施例においては特に、記録信号発生部２１によって生成される外部コードと、デコーダ１１において生成される内部コードとの２種類のコードが存在する。内部コードは、デコーダ１１において、外部コードに対応して生成されるものの、両者のコードの各ステート（State）は必ずしも一対一に対応していない。図４を参照してこのような内部コード及び外部コードについて説明する。
【０１０２】
本実施例のＬＤドライバ１０においては、外部コードに対応する内部コードが適宜切り替えられて入力される。このような対応関係の切り替えは、例えば、シーケンスの開始時などに実施されて、該シーケンスにおける外部コードと内部コードの対応関係の一部または全部が切り替えられる。
【０１０３】
例えば、図４（ａ）においては、矢印に示されるように、外部コードが（０、０、０）であるグレイコードの０の状態から、（１、０、０）である７の状態まで遷移する例が図示されている。このとき、外部コードの各状態に対応して、内部コードは、Ｓ０からＳ７まで遷移している。
【０１０４】
続いて、図４（ｂ）に示される例では、図４（ａ）での遷移の終了時のコード（つまり、図４（ａ）に示される外部コードの遷移を一のシーケンスとした場合の、シーケンス終了時のコード）である７（１、０、０）の状態から、グレイコードで逆順に０（０、０、０）の状態まで遷移している。このとき、上述したように一のシーケンスの終了時のコードを次のシーケンスの開始時のコードとして設定することで、不要なコードの遷移を行うことなく、コード入力を継続することが出来る。
【０１０５】
図４（ｂ）に示される例では、外部コードが７（１、０、０）の状態に、内部コードのＳ０の状態を対応させるとともに、外部コードが６（１、１、０）、５（１、１、１）と遷移していくにつれて、Ｓ１、Ｓ２という内部コードが対応させられている。
【０１０６】
このような構成によれば、外部コードと内部コードとの対応関係、ひいては外部コードとパワー値との対応関係が一対一に固定されておらず、適宜外部コードに対応する内部コード（つまり、パワー値）を切り替えることで、任意の外部コードと内部コード（パワー値）との組み合わせを設定することが出来る。
【０１０７】
尚、内部コードは、本実施例に係るＬＤドライバ１０の内部においてのみ伝送される、内部的な設定値であるため、値の変化時の信号間スキューは上述のように、製造時などに調整が可能である。従って、パワー値を指定するための内部コードは、グレイコードの遷移に制限を課す必要はない。
【０１０８】
次に、図５を参照して、実際のストラテジパターンの表現の態様について説明する。図５に示される例においては、３値のパワー値より構成されている二つのシーケンスから成るストラテジパターンが示されている。グレイコードの遷移に制限が課された従来型の例においては、このようなライトストラテジを表現するにあたって、幾つかの技術的な問題が生じてしまう。
【０１０９】
例えば、１つ目のシーケンス（つまり、シーケンス１）に示される通り、コードがＳ２の状態からイレースパワーを指定するための、所謂初期化コードであるＳ０に遷移するという遷移規則に反する遷移が必要となる。このような遷移規則に反する初期化は、一のシーケンスを構成するパワー値の遷移の数が奇数回である場合に生じ、信号間スキューの問題が発生する虞がある。
【０１１０】
また、２つ目のシーケンス（つまり、シーケンス２）に示される通り、パワー値Ｐ２を指定するＳ２の状態から、グレイコードの遷移規則に反しないＳ３へと遷移した上で初期化コードＳ０に遷移するという手法も考えられる。しかしながら、このような構成によれば、Ｓ３というストラテジパターンの表現に不要なコードの入力が必要となるため、伝送ノイズの発生や、コード信号のパルス幅の低下などの問題が生じる可能性がある。また、このとき、Ｓ３をもう一つの初期化コードとして設定する（つまり、対応するパワー値をＰ０とする）よう構成する必要があるため、コードによって表現可能なパワー値の数が減少してしまうという問題もある。
【０１１１】
他方、本実施例に係るＬＤドライバ１０においては、外部コードと内部コードの対応関係（ひいては、外部コードとパワー値との対応関係）を切り替えてストラテジパターンの表現を行うことが出来る。例えば、シーケンス１においては、コードがＳ５の状態を初期化コードとするよう対応関係を切り替えることで、グレイコードの遷移規則に沿って、且つ必要最小限の遷移回数でシーケンスの各パワー値を指定することが出来る。このとき、入力される外部コードは、図５の下部に実線で示されるようにＳ０、Ｓ１、Ｓ２、Ｓ５の順に遷移する。
【０１１２】
また、本実施例によれば、シーケンス２の開始時のコードがシーケンス１の終了時のコードであるＳ５に切り替えられる。このとき、パワー値Ｐ１及びＰ２に対応する外部コードを夫々Ｓ６及びＳ７に切り替えることで、グレイコードの遷移規則に沿って、且つ必要最小限の遷移回数でシーケンスの各パワー値を指定した上で、本来の初期化コードであるＳ０へと遷移することが可能となる。このとき、入力される外部コードは、図５の下部に点線で示されるようにＳ５、Ｓ６、Ｓ７、Ｓ０の順に遷移する。
【０１１３】
このように本実施例に係るＬＤドライバ１０によれば、例えば奇数回のパワー値の遷移によって構成されるシーケンスであっても、適宜コードとパワー値との対応関係を切り替えることで、不要なコード遷移を必要とすることなく、グレイコードの遷移規則に沿ってコードの遷移を継続することが可能となる。
【０１１４】
（３）情報記録装置の構成例
次に、図６を参照して、本実施例に係る情報記録装置１の基本構成について説明する。ここに、図６は、本実施例に係る情報記録装置１の基本的な構成を概念的に示すブロック図である。尚、情報記録装置１は、上述のＬＤドライバ１０を備える光ピックアップ５２を備え、少なくとも、マウントされた光ディスク１００に対してデータを記録する機能を備える。
【０１１５】
図６に示すように、情報記録装置１は、実際に光ディスク１００がローディングされ且つデータの記録が行なわれるディスクドライブ５０と、該ディスクドライブ５０に対するデータの記録を制御するパーソナルコンピュータ等のホストコンピュータ３０とを備えている。
【０１１６】
ディスクドライブ５０は、光ディスク１００、スピンドルモータ５１、光ピックアップ（ＰＵ：Pick up）５２、信号記録再生部５３、メモリ５４、ＣＰＵ５５、入出力制御部５６及びバス５７を備えて構成されている。また、ホストコンピュータ３０は、夫々不図示の操作／表示制御手段、操作ボタン、表示パネル、ＣＰＵ、メモリ、入出力制御手段及びバスなどを備えて構成される。
【０１１７】
スピンドルモータ５１は光ディスク１００を回転及び停止させるもので、光ディスク１００へのアクセス時に動作する。より詳細には、スピンドルモータ５１は、図示しないサーボユニット等によりスピンドルサーボを受けつつ所定速度で光ディスク１００を回転及び停止させるように構成されている。
【０１１８】
光ピックアップ５２は、光ディスク１００への記録を行うために、例えばレーザダイオード（ＬＤ：Laser Diode）４０、上述したＬＤドライバ１０、フォトディテクタ（ＰＤ：Photo Detector）４１、図示しないコリメータレンズや対物レンズなどを備えて構成される。より詳細には、データの記録時には、レーザダイオード４０は、ＬＤドライバ１０の制御のもと、光ディスク１００に対してレーザ光ＬＢをパワーを変更させながら照射する。このとき、ＬＤドライバ１０は、上述したようにライトストラテジを実現させるための、例えば駆動信号を生成し、レーザダイオード４０を駆動する。その結果、光ディスク１００の記録面上に、データに応じたデータパターンが形成される。
【０１１９】
信号記録再生部５３は、ＣＰＵ５４の制御を受けながらスピンドルモータ５１及び光ピックアップ５２の動作を夫々制御することで、光ディスク１００に対して記録を行う。より具体的には、信号記録再生部５３は、例えば、ヘッドアンプなどによって構成されている。ヘッドアンプは、光ピックアップ５２内に設けられたフォトディテクタ４１の出力信号（即ち、レーザ光の反射光を示す信号であって、読取信号）を増幅し、該増幅した信号を出力する。また、信号記録再生部５３は、後述するホストコンピュータ３０からの光ディスク１００に係る情報や記録データなどの入力を受け、ＬＤドライバ１０へと出力する。
【０１２０】
ＣＰＵ５４は、信号記録再生部５３、メモリ５５及び入出力制御部５６と、バス５７を介して接続され、信号記録再生部５３、メモリ５５及び入出力制御部５６に指示を行うことで、ディスクドライブ５０全体の制御を行う。通常、ＣＰＵ５４が動作するためのソフトウェア又はファームウェアは、メモリ５５に格納されている。
【０１２１】
メモリ５５は、記録動作などに用いられるデータのバッファ領域や信号記録再生部５３で使用できるデータに変換する時の中間バッファとして使用される領域等であって、ディスクドライブ５０におけるデータ処理全般において使用される。また、メモリ５５は、情報記録装置１の動作を行うためのプログラム（即ち、ファームウェア）が格納されるＲＯＭ領域と、記録動作などに用いられるデータが一時的に格納されたりファームウェア等の動作に必要な変数等が格納されたりするＲＡＭ領域などから構成される。
【０１２２】
入出力制御部５６は、ディスクドライブ５０に対する外部からのデータ入出力を制御する。ＳＣＳＩやＡＴＡＰＩなどのインタフェースを介してディスクドライブ５０と接続されている外部のホストコンピュータ３０から発行されるドライブ制御命令は、入出力制御部５６を介してＣＰＵ５４に伝達される。また、記録動作などに用いられるデータも同様に、入出力制御部５６を介して、ホストコンピュータ３０とやり取りされる。
【０１２３】
以上説明した、情報記録装置１の一具体例は、例えば、公知のパーソナルコンピュータやワークステーションなどであるホストコンピュータ３０の制御のもと、データの記録を行うディスクドライブである。また、別の具体例では、映像を記録するレコーダ機器等の家庭用機器である。このレコーダ機器は、その内部にディスクドライブ部とそれをコントロールするコントロール部を備えており、このコントロール部が図６のホストコンピュータに相当する。
【０１２４】
本発明は、上述した実施例に限られるものではなく、特許請求の範囲及び明細書全体から読み取れる発明の要旨或いは思想に反しない範囲で適宜変更可能であり、そのような変更を伴うレーザ駆動装置、レーザ駆動方法、信号処理回路及び情報記録装置もまた本発明の技術的範囲に含まれるものである。
【符号の説明】
【０１２５】
１  情報記録装置、
１０  ＬＤドライバ、
１１  デコーダ、
１２  パワー値変換部、
１３  開始外部コード保持部、
１４  終了内部コード識別部、
１５  保持パルス生成部、
１６  ＤＡコンバータ、
１７  出力バッファ、
２１  記録信号発生部、
３０  ホストコンピュータ、
４０  レーザダイオード、
５０  ディスクドライブ、
５４  ＣＰＵ、
１００  光ディスク
【図１】
2010165441.tif 000003
【図２】
2010165441.tif 000004
【図３】
2010165441.tif 000005
【図４】
2010165441.tif 000006
【図５】
2010165441.tif 000007
【図６】
2010165441.tif 000008